(57)【要約】【課題】  花弁には、直接、文字、模様などの図柄が描かれている贈答用生花の提供。【解決手段】  贈答用生花１例えば、胡蝶蘭の花弁２には、贈答の目的に合せて、文字、模様などの図柄３が直接描かれている。これらの図柄３は、型抜きされたステンシルシート４に形成される。このステンシルシート４は、８５ｇ／ｍ２以上のトレーシングペーパー、ケント紙が好適する。花弁２に図柄３を描くにあたっては、前記ステンシルシート４を花弁２に押し当て、ブラシを利用して化粧パウダー６を型抜き部分を介して、花弁２に塗りつけることにより行なわれる。化粧パウダー６の適用は、人肌に優しいことから、生きものである贈答用生花１にも好適する。【選択図】図１
2010006035.tif 000002
【特許請求の範囲】
【請求項１】
花弁には、文字、模様などの図柄が目的に合せて描かれるようにした贈答用生花であって、
前記図柄は、型抜きされたステンシルシートに形成されており、このステンシルシートを花弁に押し当て、しかも型抜き部分に化粧パウダーを塗りつけることにより描かれるようにしたことを特徴とする贈答用生花。
【請求項２】
前記贈答用生花は、胡蝶蘭が適用されるとともに、前記ステンシルシートは、８５ｇ／ｍ２以上のトレーシングペーパー、ケント紙が適用されていることを特徴とする請求項１に記載の贈答用生花。
【発明の詳細な説明】
【技術分野】
【０００１】  本発明は、贈答用生花に関し、特に、花弁には、文字、模様などの図柄が目的に合せて描かれるようにした塗り付け技術に関する。
【背景技術】
【０００２】  従来、この種の贈答用生花は、高級なものとして胡蝶蘭が知られているが、殊に、最近の事業形態では、小売用の店舗を持たず、自社トラックでの配送に特化する販売事業が法人向けに急速な伸びを示している。
また、特許文献１では、生花の樹液をアルコール類で抜いて脱水・脱色し、かつ保湿効果のあるグリセリンなどを吸収させ、さらに、遠乾性や水溶性の染料として酢酸アミノールなどで染色するプリザーブドフラワーアレンジメントが開示されている。
ところで、これらの贈答用生花は、通常、贈答目的を表示するには、立て札等を使用するのが一般的であり、生花に直接表示することは行われていない。
【特許文献１】特開２００７−３２０３０５号公報
【発明の開示】
【発明が解決しようとする課題】
【０００３】  解決しようとする課題は、贈答用生花では、その目的に合せて花弁に、直接文字、模様などの図柄を付すことが要請されだしていることにある。つまり、贈答用生花は、長期間の維持が必要であり、これを阻害しないような図柄の塗り付け技術の提供が課題となっている。
このようなことから、本発明では、上述の点に鑑みなされたもので、これらの問題点を基本的に解消し得ることを目的とし、また図柄の存在価値を高め得ることを目的としている。
【課題を解決するための手段】
【０００４】  本発明に係る請求項１記載の贈答用生花は、花弁には、文字、模様等の図柄が目的に合せて描かれるようにした贈答用生花であって、
前記図柄は、型抜きされたステンシルシートに形成されており、このステンシルシートを花弁に押し当て、しかも型抜き部分に化粧パウダーをブラシで塗りつけることにより描かれるようにしたことを特徴とする。【０００５】  上記構成によれば、贈答用生花の花弁は、文字、模様などの図柄がその目的に合せて描かれているので、その存在価値が高められている。
また、贈答用生花は、型抜きされたステンシルシート及び化粧パウダーが適用され、図柄がステンシルシートを介してブラシで塗りつけられるようになっている。このため、前記図柄は、正確に仕上げられ、また人肌に優しい化粧パウダーによるものであるから、生きものである贈答用生花に対しても格別阻害することがない。【０００６】  本発明に係る請求項２記載の贈答用生花では、前記贈答用生花は、胡蝶蘭が適用されるとともに、前記ステンシルシートは、８５ｇ／ｍ２以上のトレーシングペーパー、ケント紙が適用されていることを特徴とする請求項１に記載の贈答用生花である。
上記構成によれば、前記贈答用生花は、胡蝶蘭で、ステンシルシートは、８５ｇ／ｍ２以上のトレーシングペーパー、ケント紙が適用されている。これは、高級な贈答用生花に価値観を与えることを目的とし、また、トレーシングペーパー、ケント紙も強さなどから厚手のものが適切であり、化粧パウダーに対する耐水性もよくなっている。
【発明の効果】
【０００７】  本発明に係る贈答用生花では、目的に合せた図柄は、型抜きされたステンシルシートに形成され、このステンシルシートを花弁に押し当て、しかも型抜き部分に化粧パウダーをブラシで塗りつけるようにして描かれるものである。
この結果、贈答用生花は、図柄を正確にかつ容易に描くことができるので、贈答目的に適ったものを提供できるという利点を有する。
また、本発明に係る贈答用生花は、人肌に好適する化粧パウダーを適用することで、長期間維持の阻害原因にならないという利点を有する。
【発明を実施するための最良の形態】
【０００８】  本発明に係る贈答用生花は、その花弁には、文字、模様などの図柄が目的に合せて描かれるようになっている。前記図柄は、型抜きされたステンシルシートに形成されており、このステンシルシートを花弁に押し当て、しかも型抜き部分に化粧パウダーをブラシで塗りつけることにより描かれる。最も好適な場合は、贈答用生花として、胡蝶蘭が適用され、ステンシルシートとして、８５ｇ／ｍ２以上のトレーシングペーパー、ケント紙が適用された場合である。
【実施例１】
【０００９】  以下、本発明に係る実施形態における贈答用生花について、添付図面に基づいて詳細に説明する。図１は、本発明に係る贈答用生花を示す概念的な正面図、図２は、本発明贈答用生花に、図柄が描かれている途中の段階における概念的な正面図である。図３は、ステンシルシートの一例を示す平面図であり、想像線によって切り取り可能なことが示されている。
実施例１の贈答用生花１は、例えば、高級な胡蝶蘭が適用され、その花弁２には、文字、模様などの図柄３が描かれている。図示の場合、図柄３として蝶が描かれている。
前記図柄３は、図３で示されるように、ステンシルシート４に型抜きされるものであり、贈答の目的に合せて、御祝、誕生日などの文字や蝶、ハートなどの模様が型抜きされている。図示の場合、二点鎖線による想像線によって切り取り可能になっている。なお、前記ステンシルシート４の図柄３は、模様の場合には、表裏面での使用が可能である。
また、図柄３は、適当なブラシ（図示せず）を利用して、例えば矩形箱状の容器５内に充填された化粧パウダー６が、ステンシルシート４の型抜き部分を介して花弁２に塗りつけられることによって描かれる。
なお、本実施例では、ステンシルシート４は、１０５ｇ／ｍ２のトレーシングペーパーを適用したが、他の実施例によれば、８５ｇ／ｍ２のトレーシングペーパーやケント紙でも適用可能であることを確認した。これは、ステンシルシート４の厚さによる強さによること、化粧パウダー６の塗りやすさなどから定めたものである。
前記化粧パウダー６は、一般的には、タルク、酸化チタン、メタクリル酸メチルクロスポリマー、マイカ、シリカ等を粉末状にし、これらを混合した物である。そして、贈答用の生花１は、生きものであることから、化粧パウダー６としては、当然のことながら人肌に優しいものが好適する。
なお、本実施例では、化粧パウダー６として、ピンク系のものを適用したが、これに限らず、文字、模様の図柄３に合せて各種の色を選択することが可能である。
本発明に係る贈答用生花１は、一般的には、以下のような手順で、図柄３が描かれる。
まず、前記ステンシルシート４から、選択する図柄３が、余白部分を残して切り取られる。つまり、前記ステンシルシート４は、想像線で示されているように、使用の都合に合せて、図柄３周辺に余裕を持たせてカットされることを意味している。
次いで、花弁２の部分、つまり図柄３を描きたい部分には、選択したステンシルシート４を押し当て、型抜きされた部分に、化粧パウダー６を馴染ませながら塗りつける。
この塗りつけ作業では、花弁２の裏側からも指で押さえるようにして、ステンシルシート４と花弁２との間に隙間を開けずに行なうことが肝要である。そして、ステンシルシート４や手などで、花の中心部（ずい柱／コラム）を強く触れると、早期の花枯れ原因となるため注意を要する。
また、ブラシの移動は、花の中心部から外側に向けて掃き出すようにすれば、化粧パウダー６の飛散が少なく抑えられる。
さらに、前記図柄３を塗った後、ステンシルシート４は、ゆっくり外され、贈答用生花１の描き作業が終了する。飛び散った化粧パウダー６は、こすると跡が残るため、息を吹きかけて取り除くようにする。
本発明の贈答用生花は、このような慎重な手順を踏んで行なえば、文字、模様などの図柄３は、花弁２に鮮明に描けるものである。
なお、ステンシルシート４の表裏面を使用する場合には、ステンシルシート４に残った化粧パウダー６を確実に拭き取ってから裏返して使用する。
また、次回の使用時の混色を防ぐためには、使用を終えたステンシルシート４は、化粧パウダー６をしっかりと拭き取り保管することが必要である。
【図面の簡単な説明】
【００１０】
【図１】  本発明の実施形態に係る贈答用生花を示す概念的な正面図である。
【図２】  贈答用生花に図柄を描いている途中段階における概念的な正面図である。
【図３】  ステンシルシートを例示する平面図である。
【図４】  容器に充填された化粧パウダーを例示する斜視図である。
【符号の説明】
【００１１】１  贈答用生花
２  花弁
３  図柄
４  ステンシルシート
５  容器
６  化粧パウダー
【図１】
2010006035.tif 000003
【図２】
2010006035.tif 000004
【図３】
2010006035.tif 000005
【図４】
2010006035.tif 000006